(57)【要約】【課題】コピーワンスコンテンツは、コンテンツの著作権保護の面から移動のみが許可されており、実質的なコピー（ダビング）を行うことはできない。そこで、ユーザに対するコピーワンスコンテンツの利便性の向上を目的として、デジタル放送コンテンツを移動した場合であっても移動元のコンテンツを保持しつつ、コピーや編集を法的規定内で行うことのできる装置や方法の提供を課題とする。【解決方法】デジタル放送コンテンツのサイマル放送であるアナログ放送コンテンツを一の録画命令で同時録画できる方法、及びその装置を提供する。また、前記同時録画された二つのコンテンツを一の表示マークで表示して管理する方法、及びその装置を提供する。さらに、一の表示マークで示される同時録画された二つのコンテンツに対してコピー操作を行った際に、アナログ放送コンテンツに対してのみコピーを行うことのできる方法、及びその装置を提供する。【選択図】図１
2008054107.tif 000002
【特許請求の範囲】
【請求項１】
デジタル放送受信部と、
アナログ放送受信部と、
録画命令を受付ける録画命令受付部と、
受信したコンテンツを録画命令に従って録画する録画部と、
一の録画命令により上記二つの受信部にて受信される一のデジタル放送コンテンツと、そのコンテンツのサイマル放送であるアナログ放送コンテンツと、を同時録画するよう録画部と受信部とを制御可能な制御部と、
を有する録画装置。
【請求項２】
制御部は、
録画命令にて特定されるコンテンツのデジタル放送分がコピーワンス制御信号が付加されたコンテンツかを判断する判断手段と、
判断結果が付加されているコンテンツであるとの判断結果である場合にのみ上記同時録画をする制御をする付加時制御手段と、
を有する請求項１に記載の録画装置。
【請求項３】
コンテンツが上記同時録画されたコンテンツである場合にも二つのコンテンツを一の表示マークで表示するコンテンツ操作入力用ＧＵＩ部と、
コンテンツ操作入力用ＧＵＩ部で受付けた操作に応じて録画部に記録されているコンテンツを管理する管理部と、
を有する請求項１または２に記載の録画装置。
【請求項４】
管理部は、
前記コンテンツ操作入力用ＧＵＩ部にて一の表示マークを利用したコピー操作の入力を受付けた場合には、同時録画された二つのコンテンツのうちアナログ放送コンテンツに対してのみコピー処理を実行するコンテンツコピー手段を有する請求項３に記載の録画装置。
【請求項５】
管理部は、
前記コンテンツ操作入力用ＧＵＩ部にて一の表示マークを利用して特定したコンテンツに対する編集操作の入力を受付けた場合には、同時録画された二つのコンテンツの両者に対して同じ編集処理を実行するコンテンツ編集手段を有する請求項３又は４に記載の録画装置。
【請求項６】
管理部は、
前記コンテンツ操作入力用ＧＵＩ部にて一の表示マークを利用した削除操作の入力を受付けた場合には、同時録画された二つのコンテンツの両者の削除処理を実行するコンテンツ削除手段を有する請求項３から５のいずれか一に記載の録画装置。
【請求項７】
管理部は、
前記コンテンツ操作入力用ＧＵＩ部にて一の表示マークを利用した移動操作の入力を受付けた場合には、同時録画された二つのコンテンツのうちデジタル放送コンテンツに対してのみ移動処理を実行しアナログ放送コンテンツに対しては削除処理を実行するコンテンツ移動手段を有する請求項３から６のいずれか一に記載の録画装置。
【請求項８】
録画命令を受付ける録画命令受付ステップと、
録画命令受付ステップで受付けた一の録画命令によりデジタル放送受信部と、アナログ放送受信部と、から一のデジタル放送コンテンツと、そのコンテンツのサイマル放送であるアナログ放送コンテンツと、をそれぞれ受信するコンテンツ受信ステップと、
コンテンツ受信ステップで受信した両コンテンツを同時録画する同時録画ステップと、
を有する録画方法。
【請求項９】
録画命令を受付ける録画命令受付ステップと、
録画命令受付ステップで受付けた一の録画命令によりデジタル放送受信部とアナログ放送受信部とから一のデジタル放送コンテンツと、そのコンテンツのサイマル放送であるアナログ放送コンテンツと、をそれぞれ受信するコンテンツ受信ステップと、
コンテンツ受信ステップで受信され、録画命令にて特定されるコンテンツのデジタル放送分がコピーワンス制御信号が付加されたコンテンツか判断する判断ステップと、
判断結果が付加されているコンテンツであるとの判断結果である場合にのみコンテンツ受信ステップで受信した両コンテンツを同時録画する同時録画ステップと、
を有する録画方法。
【請求項１０】
表示マークを利用してコピー操作の入力を受付けるコピー操作入力受付ステップと、
コピー操作の入力を受付けた表示マークが、同時録画された二つのコンテンツを表示する表示マークであるかを判断する第一表示マーク判断ステップと、
前記第一表示マーク判断ステップでの判断結果が二つのコンテンツを表示する表示マークであるとの判断結果の場合に、アナログ放送コンテンツに対してのみコピー処理を実行するアナログ放送コンテンツコピーステップと、
を有する録画方法。
【請求項１１】
表示マークを利用して編集操作の入力を受付ける編集操作入力受付ステップと、
編集操作の入力を受付けた表示マークが、同時録画された二つのコンテンツを表示する表示マークであるかを判断する第二表示マーク判断ステップと、
前記第二表示マーク判断ステップでの判断結果が二つのコンテンツを表示する表示マークであるとの判断結果の場合に、同時録画された二つのコンテンツの両者に対して同じ編集処理を実行する両コンテンツ編集ステップと、
を有する録画方法。
【請求項１２】
表示マークを利用して削除操作の入力を受付ける削除操作入力受付ステップと、
削除操作の入力を受付けた表示マークが、同時録画された二つのコンテンツを表示する表示マークであるかを判断する第三表示マーク判断ステップと、
前記第三表示マーク判断ステップでの判断結果が二つのコンテンツを表示する表示マークであるとの判断結果の場合に、同時録画された二つのコンテンツの両者の削除処理を実行する両コンテンツ削除ステップと、
を有する録画方法。
【請求項１３】
表示マークを利用して移動操作の入力を受付ける移動操作入力受付ステップと、
移動操作の入力を受付けた表示マークが、同時録画された二つのコンテンツを表示する表示マークであるかを判断する第四表示マーク判断ステップと、
前記第四表示マーク判断ステップでの判断結果が二つのコンテンツを表示する表示マークであるとの判断結果の場合に、デジタル放送コンテンツに対してのみ移動処理を実行し、アナログ放送コンテンツに対しては削除処理を実行するデジタル放送コンテンツ移動処理ステップと、
を有する録画方法。
【発明の詳細な説明】
【技術分野】
【０００１】
本発明は、コンテンツ録画装置、及びコンテンツ録画方法に関する。
【背景技術】
【０００２】
近年、様々なデジタル放送ンテンツが普及し、それらの著作権管理が重要な課題となっている。デジタル放送コンテンツは、従来のアナログ放送コンテンツと比較して、映像データの質をほとんど劣化させずに容易に複製が可能である。そこで、現在、デジタル放送コンテンツには著作権管理機能としてコピーワンス制御信号が付加されているものがある。この制御信号を有するコンテンツをコピーワンスコンテンツという。コピーワンスコンテンツは、１回録画した後は、移動（ムーブ）と呼ばれる複製方式のみが許可されており、実質的なコピー（ダビング）を行うことはできない。つまり、録画装置に記録されたコピーワンスコンテンツに対してコピーを行った場合、記録元のコンテンツは録画装置から削除されてしまう。したがって、家庭内で録画した番組を家族の各人がコピーして自室で楽しむことはできない。また、コピーワンスコンテンツは、ＣＰＲＭ（Ｃｏｎｔｅｎｔ Ｐｒｏｔｅｃｔｉｏｎ ｆｏｒ Ｒｅｃｏｒｄａｂｌｅ Ｍｅｄｉａ）に対応したＤＶＤ−Ｒ／ＲＷ、ＤＶＤ−ＲＡＭ等にしか移動できない。さらに、高画質で録画したデジタル放送コンテンツを低画質に圧縮変換した場合、記録元の高画質のファイルは消去されてしまうため、再度高画質のコンテンツに戻すことができない。このように、コピーワンスコンテンツは、ユーザにとっては利用や管理の面で不利益な点が多い。
【０００３】
上記のような問題を解決するために、近年コピーワンスコンテンツの管理方法をはじめとする発明がいくつか開示されている。例えば、特許発明１は、移動によって高画質コンテンツを低画質コンテンツに圧縮変換した場合に記録した高画質コンテンツの再利用性を保ったままコンテンツの移動を可能にする発明である。しかし、法的規制枠ゆえに、一の録画装置でコピーワンスコンテンツをダビングするという発明は開示されていない。
【特許文献１】特開２００６−１０７１６５
【発明の開示】
【発明が解決しようとする課題】
【０００４】
本発明はユーザにとってのコピーワンスコンテンツの利便性の向上を目的として、著作権の保護を確保しつつ、法的規制の範囲内で録画したコンテンツを移動元の録画装置から削除することなしにダビングや編集を行うことのできる装置や方法の提供を課題とする。
【課題を解決するための手段】
【０００５】
上記課題を解決するために、本発明者は録画を所望するデジタル放送のサイマル放送に着目した。サイマル放送とは、一の放送局が複数のチャンネルや放送方式で同一時間に同一の内容の番組を放送することを言う。例えば、一のデジタル放送と同一時間に放送される同一内容のアナログ放送が該当する。本願発明は、録画するデジタル放送のサイマル放送であるアナログ放送を上記課題を解決するための手段として利用ものである。すなわち、以下の発明を提供することによって上記課題を解決する。
【０００６】
第一の発明は、デジタル放送受信部と、アナログ放送受信部と、録画命令を受付ける録画命令受付部と、受信したコンテンツを録画命令に従って録画する録画部と、一の録画命令により上記二つの受信部にて受信される一のデジタル放送コンテンツと、そのコンテンツのサイマル放送であるアナログ放送コンテンツと、を同時録画するよう録画部と受信部とを制御可能な制御部と、を有する録画装置を提供する。
【０００７】
第二の発明は、制御部が、録画命令にて特定されるコンテンツのデジタル放送分がコピーワンス制御信号が付加されたコンテンツかを判断する判断手段と、判断結果が付加されているコンテンツであるとの判断結果である場合にのみ上記同時録画をする制御をする付加時制御手段と、を有する前記第一の発明に記載の録画装置を提供する。
【０００８】
第三の発明は、コンテンツが上記同時録画されたコンテンツである場合にも二つのコンテンツを一の表示マークで表示するコンテンツ操作入力用ＧＵＩ部と、コンテンツ操作入力用ＧＵＩ部で受付けた操作に応じて録画部に記録されているコンテンツを管理する管理部と、を有する前記第一又は第二の発明に記載の録画装置を提供する。
第四の発明は、管理部が前記コンテンツ操作入力用ＧＵＩ部にて一の表示マークを利用したコピー操作の入力を受付けた場合には、同時録画された二つのコンテンツのうちアナログ放送コンテンツに対してのみコピー処理を実行するコンテンツコピー手段を有する前記第三の発明に記載の録画装置を提供する。
第五の発明は、管理部が前記コンテンツ操作入力用ＧＵＩ部にて一の表示マークを利用して特定したコンテンツに対する編集操作の入力を受付けた場合には、同時録画された二つのコンテンツの両者に対して同じ編集処理を実行するコンテンツ編集手段部を有する前記第三又は第四の発明に記載の録画装置を提供する。
第六の発明は、管理部が、前記コンテンツ操作入力用ＧＵＩ部にて一の表示マークを利用した削除操作の入力を受付けた場合には、同時録画された二つのコンテンツの両者の削除処理を実行するコンテンツ削除手段を有する前記第三から第五の発明のいずれか一に記載の録画装置を提供する。
第七の発明は、管理部が、前記コンテンツ操作入力用ＧＵＩ部にて一の表示マークを利用した移動操作の入力を受付けた場合には、同時録画された二つのコンテンツのうちデジタル放送コンテンツに対してのみ移動処理を実行し、アナログ放送コンテンツに対しては削除処理を実行するコンテンツ移動手段を有する前記第三から第六の発明のいずれか一に記載の録画装置を提供する。
【０００９】
第八の発明は、録画命令を受付ける録画命令受付ステップと、録画命令受付ステップで受付けた一の録画命令によりデジタル放送受信部とアナログ放送受信部とから一のデジタル放送コンテンツと、そのコンテンツのサイマル放送であるアナログ放送コンテンツと、をそれぞれ受信するコンテンツ受信ステップと、コンテンツ受信ステップで受信され、録画命令にて特定されるコンテンツのデジタル放送分がコピーワンス制御信号が付加されたコンテンツか判断する判断ステップと、判断結果が付加されているコンテンツであるとの判断結果である場合にのみコンテンツ受信ステップで受信した両コンテンツを同時録画する同時録画ステップと、を有する録画方法を提供する。
【００１０】
第九の発明は、録画命令を受付ける録画命令受付ステップと、録画命令受付ステップで受付けた一の録画命令によりデジタル放送受信部と、アナログ放送受信部と、から一のデジタル放送コンテンツと、そのコンテンツのサイマル放送であるアナログ放送コンテンツと、をそれぞれ受信するコンテンツ受信ステップと、コンテンツ受信ステップで受信した両コンテンツを同時録画する同時録画ステップと、を有する録画方法を提供する。
【００１１】
第十の発明は、表示マークを利用してコピー操作の入力を受付けるコピー操作入力受付工程と、コピー操作の入力を受付けた表示マークが、同時録画された二つのコンテンツを表示する表示マークであるかを判断する表示マーク判断工程と、前記表示マーク判断工程での判断結果が二つのコンテンツを表示する表示マークであるとの判断結果の場合に、アナログ放送コンテンツに対してのみコピー処理を実行するアナログ放送コンテンツコピー工程、とを有する録画方法を提供する。
第十一の発明は、表示マークを利用して編集操作の入力を受付ける編集操作入力受付ステップと、編集操作の入力を受付けた表示マークが、同時録画された二つのコンテンツを表示する表示マークであるかを判断する第二表示マーク判断ステップと、前記第二表示マーク判断ステップでの判断結果が二つのコンテンツを表示する表示マークであるとの判断結果の場合に、同時録画された二つのコンテンツの両者に対して同じ編集処理を実行する両コンテンツ編集ステップと、を有する録画方法を提供する。
第十二の発明は、表示マークを利用して削除操作の入力を受付ける削除操作入力受付ステップと、削除操作の入力を受付けた表示マークが、同時録画された二つのコンテンツを表示する表示マークであるかを判断する第三表示マーク判断ステップと、前記第三表示マーク判断ステップでの判断結果が二つのコンテンツを表示する表示マークであるとの判断結果の場合に、同時録画された二つのコンテンツの両者の削除処理を実行する両コンテンツ削除ステップと、を有する録画方法を提供する。
第十三の発明は、表示マークを利用して移動操作の入力を受付ける移動操作入力受付ステップと、移動操作の入力を受付けた表示マークが、同時録画された二つのコンテンツを表示する表示マークであるかを判断する第四表示マーク判断ステップと、前記第四表示マーク判断ステップでの判断結果が二つのコンテンツを表示する表示マークであるとの判断結果の場合に、デジタル放送コンテンツに対してのみ移動処理を実行し、アナログ放送コンテンツに対しては削除処理を実行するデジタル放送コンテンツ移動処理ステップと、を有する録画方法を提供する。
【発明の効果】
【００１２】
以上のような構成をとる本願における発明の録画装置、及び録画方法によれば、録画装置に対する一の録画命令によりデジタル放送コンテンツと、そのコンテンツのサイマル放送であるアナログ放送コンテンツとを同時録画できる。これによって、両コンテンツを録画する場合も、それぞれの放送コンテンツに対して別個に録画操作を行う必要がなく、便利である。
【００１３】
また、本願における他の発明の録画装置、及び録画方法によれば、同時録画された前記デジタル放送コンテンツと、そのコンテンツのサイマル放送であるアナログ放送コンテンツとを一の表示マークで表示できる。その他に、当該一の表示マークに対して一の操作を入力することで二つのコンテンツに対して編集、削除、あるいは移動等の処理を行うことができる。これによって、ユーザは前記両コンテンツを見かけ上一つのデータとして取り扱うことができるため、コンテンツの管理が楽になる。
【００１４】
さらに、本願における別の発明の録画装置、及び録画方法によれば、一のコピー操作の入力により前記アナログ放送コンテンツに対してコピー処理を行うことができる。これによって、同時録画されたデジタル放送コンテンツを削除することなく録画装置に残すことができるため、デジタル放送コンテンツの擬似ダビングが可能となる。また、アナログ放送コンテンツに対してコピー処理が行われるため、記録メディアはＣＰＲＭ対応である必要がなく、現行の多くの記録メディアが利用できる。
【発明を実施するための最良の形態】
【００１５】
以下に図を用いて前記発明を実施するための最良の形態について説明をする。ただし、本願の発明はこれらの実施形態に何ら限定されるものではなく、その要旨を逸脱しない範囲において、種々なる態様で実施しうる。なお、実施形態１は主に請求項１及び８に関するものである。また、実施形態２は主に請求項２及び９に関するものである。また、実施形態３は主に請求項３に関するものである。また、実施形態４は主に請求項４及び１０に関するものである。また、実施形態５は主に請求項５及び１１に関するものである。また、実施形態６は主に請求項６及び１２に関するものである。そして、実施形態７は主に請求項７及び１３に関するものである。
【００１６】
<<実施形態１>>
<実施形態１：概要>  実施形態１は、録画装置、及び録画方法に関する。図１は、本実施形態の概念を示す図である。この図で示すように、本実施形態にかかる録画装置（０１０１）は、ユーザからのリモコン等を介した一の録画命令（０１０２）により一のデジタル放送コンテンツ（０１０３）と、そのコンテンツのサイマル放送であるアナログ放送コンテンツ（０１０４）とをそれぞれ受信し、当該二つのコンテンツを同時録画（０１０５）することを特徴とする。
【００１７】
<実施形態１：構成>  図２は、本実施形態にかかる録画装置の機能ブロック図である。この図で示すように、本実施形態の録画装置（０２００）は、デジタル放送受信部（０２０１）、アナログ放送受信部（０２０２）、録画命令受付部（０２０３）、録画部（０２０４）、制御部（０２０５）を有することを特徴とする。以下、各部の構成、機能等について説明をする。
【００１８】
「デジタル放送受信部」（０２０１）は、デジタル放送用アンテナを介してデジタル放送信号を受信し、復調する部である。例えば、デジタル放送受信用チューナとデジタル放送信号復調回路などが該当する。本願でいう、「デジタル放送」とは、地上デジタル放送（１セグメント放送を含む。）、デジタル衛星放送（ＢＳデジタル、ＣＳデジタル、ＣＳ１１０°を含む。）、ケーブルデジタル放送を意味する。当該放送で放送されるコンテンツが「デジタル放送コンテンツ」である。なお、本願においてデジタル放送コンテンツとは、特に断りのない限りコピーワンスコンテンツに限らず、コピーワンス制御信号以外の複製制御信号が付加されたデジタル放送コンテンツや、複製制御信号が付加されていないデジタル放送コンテンツも含むものとする。
【００１９】
「アナログ放送受信部」（０２０２）は、アナログ放送用アンテナを介してアナログ放送信号を受信する部である。例えば、アナログ放送受信用チューナが該当する。本願でいう、「アナログ放送」とは、地上アナログ放送、アナログ衛星放送（ＢＳアナログ、ＣＳアナログを含む。）、ケーブルアナログ放送を意味する。当該放送で放送されるコンテンツが「アナログ放送コンテンツ」である。
【００２０】
「録画命令受付部」（０２０３）は、録画命令を受付けるように構成されている。「録画命令」とは、後述する録画部に対して特定のコンテンツを録画させるための命令である。録画命令は、例えば、放送方式（アナログ放送用か、デジタル放送用か）、チャンネル若しくは放送局名、録画日、録画開始時間及び録画終了時間（録画時間枠）などのいずれか一以上を指定する情報により録画すべきコンテンツを一に特定できるように構成されている。一の録画命令は、後述するように同一のアナログ放送コンテンツとデジタル放送コンテンツとを一度に特定できるような命令である。
【００２１】
録画命令は、電子番組表に基づいて作成されてもよい。図３で電子番組表に基づく録画命令の作成の具体例を示す。図３の上の表はデジタル放送用電子番組表（０３０１）を示している。この表から「ニュース１１」（０３０２）を選択後、さらに録画予約ボタン（０３０３）を選択した場合には、デジタル放送用の「チャンネル＝３」、「放送局名＝テレビ夕日」、「放送日＝２００６年８月１日」、「放送開始時間＝２３：００」、「放送終了時間＝２３：５０」の録画情報（０３０４）が、録画装置に登録される。この録画情報が一の録画命令となる。なお、この例の場合、放送日は録画日に、放送開始時間は録画開始時間に、そして放送終了時間は録画終了時間に相当する。録画命令受付部は、受付けた録画命令を後述の録画部に送信するインターフェースとしての機能を有する。録画命令受付部は赤外線受光器センサ、超音波信号センサ、ブルートゥース（Ｂｌｕｅｔｏｏｔｈ）（登録商標）信号センサ、などで構成されていてもよく、有線で録画命令を受付けるように構成されていてもよい。また、録画命令を録画装置本体で直接受付ける場合は、録画用操作ボタンを有する。
【００２２】
「録画部」（０２０４）は、記録メディアとそのドライブを有している。例えば、ハードディスク（ＨＤ）、ＨＤ−ＤＶＤディスク、ＤＶＤ±ＲＷディスク、ＤＶＤ−ＲＡＭディスク、ブルーレイディスク（登録商標）等の各記録メディアとそのドライブユニットなどが挙げられる。その他、大容量化したＮＡＮＤフラッシュメモリ等も該当する。記録メディアが取り外し可能なディスクにて構成される場合には、当該ディスクは常に録画装置に挿入された状態でなくてもよい。録画部は、デジタル放送コンテンツ及びアナログ放送コンテンツのいずれも録画できる。また、録画部は、構成要件上、デジタル放送コンテンツとアナログ放送コンテンツとを同時録画できる。このような同時録画のための構成例としては、録画部が複数の記録メディアと各ドライブユニットを有している場合が挙げられる。この場合、デジタル放送コンテンツとアナログ放送コンテンツとをそれぞれの記録メディアに独立して記録すればよい。また、受信したデジタル放送コンテンツとアナログ放送コンテンツをそれぞれセグメント化して交互に一の記録メディアに記録するようにしてもよい。なお、後述する実施形態２以降においては、録画部が有する少なくとも一の記録メディアとそのドライブユニットは、コピーワンスコンテンツを録画可能なＣＲＰＭ対応である必要がある。
【００２３】
「制御部」（０２０５）は、録画命令受付部で受付けた一の録画命令により上記二つの受信部にて受信される一のデジタル放送コンテンツと、そのコンテンツのサイマル放送であるアナログ放送コンテンツと、を同時録画するために録画部と受信部とを制御可能なように構成されている。「一の録画命令」とは、特定のコンテンツを録画するために必要な命令であって、前記録画命令受付部が受付ける命令である。当該一の録画命令には、デジタル放送コンテンツ用又はアナログ放送コンテンツ用があるが、制御部はいずれの放送方式用録画命令であっても同一内容の両放送コンテンツを一度に特定できるようになっている。これについては後述する。「そのコンテンツのサイマル放送であるアナログ放送コンテンツ」とは、前記「課題を解決する手段」で述べたように、一のデジタル放送コンテンツと同一時間に一の放送局から放送される同一内容のアナログ放送コンテンツをいう。「同時録画」とは、一のデジタル放送コンテンツと、そのサイマル放送であるアナログ放送コンテンツとを同調的に録画することをいう。ただし、両コンテンツの録画は必ずしも完全同期でなくてもよい。例えば、前述の一の記録メディアに両コンテンツを録画する場合のように、録画部がそれぞれのコンテンツをセグメント化して交互に記録メディアに書き込むような場合も含むものとする。
【００２４】
制御部は、一の録画命令によりデジタル放送受信部（０２０１）とアナログ放送受信部（０２０２）の両者に対して、同一内容の特定のコンテンツを受信するように制御できる。通常、録画命令は、デジタル放送用録画命令、アナログ放送用録画命令のように放送方式ごとに受付けられる。例えば、デジタル放送用録画命令を一の録画命令として受付けた場合、デジタル放送コンテンツに対してのみ録画が実行される。しかし、本実施形態の制御部は、受付けた一の録画命令がいずれの放送方式のものであっても、両放送コンテンツに対して同様の録画命令を実行できる。例えば、制御部が、録画命令受付部で受付けた一の録画命令の放送方式に対するサイマル放送用の録画命令を作成する場合が挙げられる。
【００２５】
図４にサイマル放送用の録画命令の作成例を説明する。図４は、録画命令受付部（０４０２）が一の録画命令としてデジタル放送用録画命令（０４０１）を受付けた場合を示している。録画命令受付部（０４０２）が受付けたデジタル放送用録画命令（０４０１）は、制御部（０４０３）に送られる。制御部は、当該デジタル放送用録画命令から録画開始時間及び録画終了時間（録画時間枠）、並びに放送局名などの情報（０４０４）を取得する。これらの情報は、例えば、後述するようにデジタル放送用電子番組表から抽出できる。続いて、当該情報と、他方の放送方式であるアナログ放送の電子番組表（０４０５）の情報と照合する。当該照合に合致したアナログ放送コンテンツの電子番組表の情報から、アナログ放送用録画命令（０４０６）が作成される。制御部は、これら二つの録画命令（０４０１、０４０６）によってデジタル放送受信部（０４０７）とアナログ放送受信部（０４０８）とを制御することが可能となる。また、制御部は、録画部（０４０９）に対して前記二つの受信部で受信されたデジタル放送コンテンツとそのサイマル放送であるアナログ放送コンテンツとを同時録画するように制御できる。
【００２６】
図５を用いて前記制御部におけるサイマル放送用の録画命令を作成するための情報の抽出と照合の方法についての具体例を詳細に説明する。この図は、各放送用電子番組表の情報を示す概念図である。デジタル放送用電子番組表（ａ）において、各コンテンツは「コンテンツタイトル」、「チャンネル」、「放送局名」、「放送日」、「放送開始時間」、「放送終了時間」などの情報カテゴリーで構成されている。今、受信したデジタル放送用録画命令（０５０１：破線内）が、「コンテンツタイトル＝ニュース１１」、「チャンネル＝３」、「放送局名＝テレビ夕日」、「放送日＝２００６年８月１日」、「放送開始時間＝２３：００」、「放送終了時間＝２３：５０」であったとする。制御部は、例えば、デジタル放送用録画命令の情報から「コンテンツタイトル」、「放送局名」、「放送日」、「放送開始時間」、「放送終了時間」の情報カテゴリーを抽出する。続いて、抽出した情報カテゴリー内の情報とアナログ放送用電子番組表（ｂ）の対応する情報カテゴリー内の情報とを照合する。抽出した情報カテゴリー内の全ての情報が合致するアナログ放送コンテンツが、サイマル放送コンテンツに該当することとなる。制御部は、アナログ放送用電子番組表からの当該サイマル放送と判断されたアナログ放送コンテンツに対するアナログ放送用録画命令（０５０２）として、「コンテンツタイトル＝ニュース１１」、「チャンネル＝８」、「放送局＝テレビ夕日」、「放送日＝２００６年８月１日」、「放送開始時間＝２３：００」、「放送終了時間＝２３：５０」を新たに作成する。当該アナログ放送用録画命令が、受信した一のデジタル放送用録画命令（０５０１）のサイマル放送であるアナログ放送の録画命令となる。
【００２７】
本実施形態で最も特徴的な点は、上記のように一の録画命令でデジタル放送コンテンツとそのサイマル放送であるアナログ放送コンテンツとを同時録画できることである。従来の録画装置にもデジタル放送コンテンツと、アナログ放送コンテンツとをそれぞれ録画できる機能を有した機種はあった。それゆえ、そのような機種を用いれば、一のデジタル放送コンテンツとそのサイマル放送であるアナログ放送コンテンツとを録画することも不可能ではない。しかし、従来の録画装置では単にユーザに対して録画方式の選択性を広げることのみを目的としていたため、各放送方式の録画命令は独立していた。したがって、それぞれの放送コンテンツを録画するには各放送方式用の録画命令を別個に行わなければならず、操作が煩雑であった。本実施形態の録画装置では制御部の働きによって、いずれの放送方式の録画命令であっても両放送方式のコンテンツを受信し、同時録画できる。あるいは、デジタル放送用録画命令の場合には両放送方式のコンテンツを受信して同時録画を行い、アナログ放送用録画命令の場合にはアナログ放送コンテンツのみ受信して、それを録画できる。なお、一の録画命令でデジタル放送コンテンツとそのサイマル放送であるアナログ放送コンテンツとを同時録画する機能は、ユーザの好みによって解除可能としてもよい。その場合は、従来の録画装置と同様に、録画命令の放送方式に従ったコンテンツのみが録画される。
【００２８】
<実施形態１：ハードウェア構成>  図６に実施形態１におけるハードウェア構成を示す。本実施形態の録画装置の構成要素である各部は、ハードウェアとソフトウェアの両方、又はいずれかによって構成される。図６に示す録画装置（０６００）は、ＣＰＵ（０６０１）、揮発性メモリ（０６０２）、不揮発性メモリ（０６０３）、録画用不揮発性メモリ（０６０４）、デジタル用チューナ（０６０５）、アナログ用チューナ（０６０６）、復調回路（０６０７）、デコード回路（０６０８）、インターフェース（０６０９）、これらを接続するシステムバス（０６１０）、及び周辺装置（図示せず）などで構成されるハードウェアと、それらハードウェア上で実行可能なソフトウェアがある。なお、録画用不揮発性メモリは、ＨＤＤや大容量化したＮＡＮＤフラッシュメモリなどが該当する。ソフトウェアとしては、メモリ上に展開されたプログラムを順次実行することで、メモリ上のデータや、インターフェースを介して入力されるデータの加工、保存、出力などにより各部の機能が実現される。
【００２９】
ハードウェア構成を例を挙げて具体的に説明すると、図２で示すデジタル放送受信部（０２０１）は、デジタル用チューナ（０６０５）、復調回路（０６０７）、デコード回路（０６０８）などが該当する。デジタル放送受信部では、まず、受信したデジタル放送信号をデジタル用チューナで選局する。次に、復調回路が当該選局された放送信号を復調し、デジタル信号化する。続いて、デコード回路が、当該デジタル信号を復号化する。復号化されたデジタル放送コンテンツは録画用不揮発性メモリ内に格納される。アナログ放送受信部（０２０２）は、アナログ用チューナ（０６０６）が該当する。アナログ放送受信部では、受信したアナログ放送信号をアナログ用チューナで選局する。得られたアナログ信号はそのまま、又は所定の処理を施して録画用不揮発性メモリ内に格納される。録画命令受付部（０２０３）は、インターフェース（０６０６）が該当する。図示していないが、録画命令受付部は、この他にセンサを有していてもよい。インターフェースを介して入力された情報である録画命令は、制御部に送信されて処理される。制御部（０２０５）は、ＣＰＵ（０６０１）、揮発性メモリ（０６０２）、不揮発性メモリ（０６０３）などが該当する。当該ＣＰＵは、不揮発性メモリに格納された各種プログラムを揮発性メモリに展開させて、そのプログラムに従った処理を行う。例えば、ＣＰＵは、前記録画命令情報を揮発性メモリに格納して、サイマル放送録画命令作成プログラムに従って、当該情報の処理を実行する。また、受信した録画命令情報と、作成した録画命令情報を制御プログラムに従って処理する。録画部（０２０４）は、ＣＰＵ（０６０１）、揮発性メモリ（０６０２）、大容量化した不揮発性メモリ（０６０３）などが該当する。録画部のＣＰＵは、不揮発性メモリに格納された録画プログラムを揮発性メモリのワーク領域に展開させて、受信した放送コンテンツを大容量化した不揮発性メモリに保持したり、光ディスクドライブに挿入された光ディスクに記録できる。なお、図６は記録再生装置のハードウェア構成の一例を示しているに過ぎず、これらの構成に限定されるものではない。
【００３０】
<実施形態１：処理の流れ>  図７を用いて本実施形態に係る録画方法について説明をする。
【００３１】
図７Ａは、本実施形態の録画方法のフローチャートである。まず、録画装置が一の録画命令を受付ける（Ｓ０７０１  録画命令受付ステップ）。次に、録画命令受付ステップ（Ｓ０７０１）で受付けた一の録画命令によりデジタル放送受信部とアナログ放送受信部とから一のデジタル放送コンテンツと、そのコンテンツのサイマル放送であるアナログ放送コンテンツと、をそれぞれ受信する（Ｓ０７０２  コンテンツ受信ステップ）。最後に、コンテンツ受信ステップ（Ｓ０７０２）で受信した両コンテンツを同時録画する（Ｓ０７０３  同時録画ステップ）。以上の処理の流れによって、本実施形態に係る録画方法を実現できる。
【００３２】
図７Ｂは、前記図７Ａのコンテンツ受信ステップ（Ｓ０７０２）の処理の流れをより詳細に説明するためのフローチャートである。まず、録画装置が一の録画命令を受付ける（Ｓ０７０１  録画命令受付ステップ）。次に、サイマル放送用の録画命令を作成するため受付ステップ（Ｓ０７０１）で受付けた一の録画命令から必要な録画情報を抽出する（Ｓ０７０２−１  録画情報抽出ステップ）。録画命令受付ステップ（Ｓ０７０１）で受付けた一の録画命令のサイマル放送の放送方式を判断し、その放送用の電子番組表を取得する（Ｓ０７０２−２  放送方式判断ステップ）。録画情報抽出ステップ（Ｓ０７０２−１）で抽出した録画情報と、放送方式判断ステップ（Ｓ０７０２−２）で取得したサイマル放送の電子番組表の情報との照合する（Ｓ０７０２−３  録画情報照合ステップ）。録画情報照合ステップ（Ｓ０７０２−３）で合致したサイマル放送の電子番組表の情報に基づいてサイマル放送用録画命令を作成する（Ｓ０７０２−４  サイマル放送用録画命令作成ステップ）。録画命令受付ステップ（Ｓ０７０１）で受付けた録画命令と、サイマル放送用録画命令作成ステップ（Ｓ０７０２−４）で作成したサイマル放送用録画命令の二つの録画命令にしたがって、デジタル放送コンテンツとアナログ放送コンテンツの二つのコンテンツをそれぞれの受信部から受信する。（Ｓ０７０２−５  両コンテンツ受信ステップ）。最後に、両コンテンツ受信ステップ（Ｓ０７０２−５）で受信した両コンテンツを同時録画する。以上の処理の流れによって、本実施形態に係る録画方法を実現できる。なお、録画情報抽出ステップ（Ｓ０７０２−１）とサイマル放送方式判断ステップ（Ｓ０７０２−２）の処理の順番は特に限定しない。したがって、いずれが先であってもよいし、また同時に処理されても構わない。
【００３３】
<実施形態１：効果>  本実施形態の録画装置、及び録画方法によれば、一の録画命令によりデジタル放送コンテンツと、そのコンテンツのサイマル放送であるアナログ放送コンテンツとを同時録画できる。これにより、両コンテンツを録画する場合も、それぞれの放送コンテンツに対して録画操作を別個に行う必要がなく便利である。
【００３４】
<<実施形態２>>
<実施形態２：概要>  実施形態２は、録画装置、及び録画方法に関する。本実施形態にかかる録画装置、及び録画方法は、前記実施形態１の録画装置、及び録画方法を基本としている。図８は、録画命令にて特定される二つの同一内容のコンテンツに対して本実施形態の録画装置が録画処理を行う概念を示す図である。本実施形態にかかる録画装置（０８００）は、受信した二つのコンテンツ（０８０１、０８０２）のうちデジタル放送コンテンツ（０８０１）に複製制御信号が付加されているかを検索（０８０４）する。複製制御信号が付加されている場合には、その信号を読み取り（０８０５）、「1世代のみコピー可」とのコピーワンス制御信号（０８０３）が付加されている場合にのみ受信した二つのコンテンツ（０８０１、０８０２）の同時録画を行うことを特徴とする。
【００３５】
<実施形態２：構成>  図９は、本実施形態にかかる録画装置の機能ブロック図である。この図で示すように、本実施形態の録画装置（０９００）は、前記実施形態１の録画装置の構成を基本としている。すなわち、デジタル放送受信部（０９０１）、アナログ放送受信部（０９０２）、録画命令受付部（０９０３）、録画部（０９０４）、制御部（０９０５）を有する。これらの構成要件に関する説明は、実施形態１と同様であることから省略する。本実施形態の構成で特徴的な構成は、制御部（０９０５）が、さらに判断手段（０９０６）と付加時制御手段（０９０７）を有することである。以下、判断手段（０９０６）と付加時制御手段（０９０７）の構成、及び機能等について説明をする。
【００３６】
「判断手段」（０９０６）は、録画命令にて特定されるコンテンツのデジタル放送分が、コピーワンス制御信号が付加されたコンテンツかを判断するように構成されている。現在、日本の地上デジタル放送及びデジタル衛星放送では、コピーワンスシステムとしてＣＧＭＳ−Ａ（Ｃｏｐｙ  Ｇｅｎｅｒａｔｉｏｎ  Ｍａｎａｇｅｍｅｎｔ  Ｓｙｓｔｅｍ−Ａｎａｌｏｇ）が採用されている。ＣＧＭＳ−Ａとは、デジタル信号のブランキングエリアに複製制御信号を埋め込み、複製の世代管理を可能としたコピーガードシステムである。複製制御信号は、一般に「コピー可」、「1世代だけコピー可」、「コピー不可」等の情報を有している。このうち、「1世代だけコピー可」の情報を有する複製制御信号が、本願でいう「コピーワンス制御信号」に該当する。ＣＧＭＳ−Ａでは、放送局側がデジタル放送に複製制御信号を付加（又は、重畳）して出力する。そして、それを受信した録画装置側が、当該複製制御信号の情報を読み取り、録画操作を許可するか否かを決定するように構成されている。したがって、判断手段は、まず、受信したデジタル放送コンテンツのブランキングエリアに複製制御信号が埋め込まれているかを検索する。次に、複製制御信号が埋め込まれている場合には、当該信号を読み取り、「1世代だけコピー可」との判断結果であるかを判断するように構成されている。当該判断結果の情報は、次の付加時判断手段に送信される。なお、「録画命令にて特定されるコンテンツ」とは、一の録画命令によって録画の指定を受けた同一内容の二つの放送コンテンツをいう。
【００３７】
「付加時制御手段」（０９０７）は、前記判断手段から受信した判断結果がコピーワンス制御信号が付加されているとの判断結果の場合にのみ受信した一のデジタル放送コンテンツと、そのコンテンツのサイマル放送であるアナログ放送コンテンツを同時録画する制御を行うように構成されている。なお、判断結果がコピーワンス制御信号が付加されているとの判断結果以外の判断結果の場合、デジタル放送コンテンツと、そのコンテンツのサイマル放送であるアナログ放送コンテンツの少なくともいずれか一方のコンテンツを録画できるようにする。いずれのコンテンツを録画するかはユーザの好みで選択できるようにしてもよい。デフォルトで一方のコンテンツを選択する場合には、デジタル放送コンテンツが望ましい。コピー制限がないのであれば、デジタル放送コンテンツの方が映像データの質をほとんど劣化させずにダビング、編集などが行えるからである。ただし、複製制御信号がコピー不可制御信号を付加されたコンテンツに関しては、前述の限りではない。当該情報が付加されたコンテンツは、そもそもコピーできないからである。
【００３８】
<実施形態２：ハードウェア構成>  実施形態２におけるハードウェア構成は、図６で示した実施形態１のハードウェア構成とその基本構成は変わらない。したがって、実施形態１と同様の構成についての説明は省略する。また、本実施形態に特徴的な構成要件である判断手段（０９０６）、付加時制御手段（０９０７）の具体的なハードウェア構成は、いずれも図６のＣＰＵ（０６０１）、揮発性メモリ（０６０２）、不揮発性メモリ（０６０３）などが該当する。判断手段（０９０６）では、ＣＰＵが不揮発性メモリに格納された複製制御信号検索処理プログラムを揮発性メモリのワーク領域に展開させて、受信したデジタル放送コンテンツを当該プログラムに従って処理する。すなわち、ＣＰＵは受信したデジタル放送コンテンツに対して複製制御信号の検索を実行し、結果が「信号あり」の場合には、続いて当該信号の情報読み取り処理を実行する。読み取られた情報の信号は、付加時制御手段（０９０７）へ送信する。付加時制御手段（０９０７）では、ＣＰＵが不揮発性メモリに格納された複製実行プログラムを揮発性メモリのワーク領域に展開させて、当該プログラムに従って複製制御信号の情報に応じた処理を実行する。信号の情報が、「１世代のみコピー可」との情報である場合、すなわちコピーワンス制御信号が付加されているとの処理がされた場合には、当該デジタル放送コンテンツを同時に受信したサイマル放送のアナログ放送コンテンツとともに録画部の録画用不揮発性メモリに録画するように実行する。
【００３９】
<実施形態２：処理の流れ>  図１０を用いて本実施形態に係る録画方法の一例について説明をする。図１０は、本実施形態の録画方法のフローチャートである。まず、録画命令を受付ける（Ｓ１００１  録画命令受付ステップ）。次に、録画命令受付ステップで受付けた一の録画命令によりデジタル放送受信部と、アナログ放送受信部と、から一のデジタル放送コンテンツと、そのコンテンツのサイマル放送であるアナログ放送コンテンツと、をそれぞれ受信する（Ｓ１００２  コンテンツ受信ステップ）。ここまでは前記実施形態１と同様である。本実施形態では、続いて、コンテンツ受信ステップで受信され、録画命令にて特定されるコンテンツのデジタル放送分が複製制御信号が付加されたコンテンツかを判断する（Ｓ１００３  複製制御信号付加判断ステップ）。ここで、複製制御信号が付加されていないとの判断結果である場合（Ｓ１００３  Ｎｏ）、通常の録画を行う（Ｓ１００６）。この場合、いずれのコンテンツを録画するかはユーザの好みで選択できるようにすればよい。また、複製制御信号が付加されているコンテンツであるとの判断結果である場合（Ｓ１００３  Ｙｅｓ）、その複製制御信号の情報を読み取り、当該情報がコピーワンス制御信号かを判断する（Ｓ１００４  コピーワンス制御信号付加判断ステップ）。続いて、判断結果がコピーワンス制御信号でないとの判断結果である場合（Ｓ１００４  Ｎｏ）、通常の録画を行う（Ｓ１００６）。この場合も前記と同様に、いずれのコンテンツを録画するかはユーザの好みで選択できる。ただし、複製制御信号がコピー不可制御信号の場合にはこの限りではない。また、コピーワンス制御信号が付加されているコンテンツであるとの判断結果である場合（Ｓ１００４  Ｙｅｓ）、コンテンツ受信ステップで受信した両コンテンツを同時録画する（Ｓ１００５  同時録画ステップ）。以上の処理の流れによって、本実施形態に係る録画方法を実現できる。
【００４０】
<実施形態２：効果>  本実施形態の録画装置、及び録画方法によれば、コピー制限のないデジタル放送コンテンツに対してまで同時録画を行うことや、またそのために必要以上の記録媒体の容量を使用することなどの無駄を省くことができる。
【００４１】
<<実施形態３>>
<実施形態３：概要>  実施形態３は、録画装置、及び録画方法に関する。本実施形態にかかる録画装置、及び録画方法は、前記実施形態１又は２の録画装置、及び録画方法を基本としている。図１１は、本実施形態の概念を示す図であって、テレビの一モニタ画面を示している。本実施形態の録画装置は、通常の録画処理の場合には、録画した一のコンテンツ（１１０４）をモニタ上で一の表示マーク（１１０５：この図ではサムネール）で表示し、管理する。しかし、同時録画した二つのコンテンツ（１１０２、１１０３）の場合には、コンテンツが二つであっても一の表示マーク（１１０１）で表示し、それを管理することを特徴とする。
【００４２】
<実施形態３：構成>  図１２は、本実施形態にかかる録画装置の機能ブロック図である。この図で示す本実施形態の録画装置（１２００）は、前記実施形態２の録画装置の構成を基本としている。すなわち、デジタル放送受信部（１２０１）、アナログ放送受信部（１２０２）、録画命令受付部（１２０３）、録画部（１２０４）、制御部（１２０５）で構成され、制御部はさらに判断手段（１２０６）及び付加時制御手段（１２０７）を有している。これらの構成要件に関する説明は、実施形態１及び２と同様であることから省略する。本実施形態の構成で特徴的な構成は、録画装置（１２００）がさらにコンテンツ操作入力用ＧＵＩ部（１２０８）と管理部（１２０９）とを有することである。以下、コンテンツ操作入力用ＧＵＩ部（１２０８）と管理部（１２０９）の構成、及び機能等について説明をする。
【００４３】
「コンテンツ操作入力用ＧＵＩ部」（１２０８）は、録画されたコンテンツファイルに対して通常のＧＵＩとしての機能を実現するように構成されているが、それに加え、さらに、コンテンツが実施形態１又は２で述べた同時録画されたコンテンツである場合にも二つのコンテンツファイルを一の表示マークで表示する機能を有する。ここで、「ＧＵＩ」（Ｇｒａｐｈｉｃａｌ  Ｕｓｅｒ  Ｉｎｔｅｒｆａｃｅ）とは、ユーザへの情報表示にグラフィックを利用し、そのグラフィックに基づいたマウス、キーボード、リモコン、タッチパネル等の入力ポインティングデバイス等による命令入力によって大半の操作を可能とするユーザインターフェースのことである。また、「表示マーク」とは、コンテンツファイルの存在をモニタ等に表示するためＧＵＩ上でのシンボルとしての視覚的な媒体である。例えば、アイコンやサムネール、フレーム、文字記号等が挙げられる。ユーザは、当該表示マークを選択することでコンテンツファイルに対して操作入力をすることができる。ここで「選択」とは、コンテンツファイルを操作入力可能なアクティブな状態にすることをいう。また、ここでいう「操作」とは、コンテンツファイルに対して行う作業命令である。例えば、再生、コピー、移動、編集、削除、ドラッグドロップ、ファイル名の変更、履歴表示等が挙げられる。さらに、「操作入力」とは、ユーザが表示マークを介して所望の操作を入力することである。
【００４４】
通常、一のコンテンツファイルに対してはアイコン等の一のシンボルが割り当てられる。しかし、本実施形態では、同時録画されたデジタル放送コンテンツファイルと、そのサイマル放送であるアナログ放送コンテンツファイルに対しては同一のシンボルが割り当てられる。コンテンツ操作入力用ＧＵＩ部が、同時録画された二つのコンテンツファイルに対しても一の表示マークを割り当てる機構について、以下に例を挙げて説明する。まず、コンテンツ操作入力用ＧＵＩ部は、録画されたコンテンツファイルに対して他のコンテンツファイルとの関連がないかを判断する。判断の結果、関連がない場合にはコンテンツ操作入力用ＧＵＩ部は、そのコンテンツファイルに対して一の表示マークを割り当てる処理をする。同時録画された二つのコンテンツファイルは互いに関連付けられている。したがって、前記判断の結果、関連付けられた他のコンテンツファイルがある場合には、コンテンツ操作入力用ＧＵＩ部は、当該関連付けられた他のコンテンツファイルに対しても同一の表示マークを割り当てるように処理をするようにすればよい。また、同時に当該一の表示マークに対する各種の操作入力に対しても、関連付けられた二つのコンテンツファイルに対して、所定の処理を行うようにする。以上によって、二つのコンテンツファイルをモニタ上で一の表示マークとして表示できる。したがって、当該表示された一の表示マークに対して一の操作入力を行えば、両コンテンツファイルに対してその操作を実行させることができる。
【００４５】
「管理部」（１２０９）は、コンテンツ操作入力用ＧＵＩ部で受付けた操作に応じて録画部に記録されているコンテンツを管理するように構成されている。「コンテンツ操作入力用ＧＵＩ部で受付けた操作」とは、前記コンテンツ操作入力用ＧＵＩ部で表示マークから入力された作業命令である。「管理」とは、記録、保持、再生、削除、その他の処理を行うことである。管理部では、一の操作を受付けた表示マークに関連するデジタル放送コンテンツファイルと、そのサイマル放送であるアナログ放送コンテンツファイルとに対して当該操作を実行し、処理する機能を有する。例えば、表示マークのファイル名変更操作を行った場合には、同時録画した二つのコンテンツファイルの両者に対して変更を行うよう処理をする。その他の当該処理の具体例は、実施形態４から７で詳述する。
【００４６】
<実施形態３：ハードウェア構成>  実施形態３におけるハードウェア構成は、図６で示した実施形態１のハードウェア構成とその基本は変わらない。したがって、実施形態１と同様の構成についての説明は省略する。また、本実施形態に特徴的な構成要件であるコンテンツ操作入力用ＧＵＩ部（１２０８）、及び管理部（１２０９）の具体的なハードウェア構成については、コンテンツ操作入力用ＧＵＩ部（１２０８）は、図６のＣＰＵ（０６０１）、揮発性メモリ（０６０２）、不揮発性メモリ（０６０３）、インターフェース（０６０５）などが、また、管理部（１２０９）は、図６のＣＰＵ（０６０１）、揮発性メモリ（０６０２）、不揮発性メモリ（０６０３）などが該当する。コンテンツ操作入力用ＧＵＩ部のＣＰＵは、不揮発性メモリに格納されたＧＵＩ用プログラムを揮発性メモリのワーク領域に展開し、同時録画により不揮発性メモリに記録した二つのコンテンツファイルに対して、当該プログラムの制御情報等に応じた処理を行う。また、当該ＣＰＵは、不揮発性メモリに格納された操作プログラムを揮発性メモリのワーク領域に展開し、インターフェースから入力された操作情報を当該プログラム等に応じて処理する。当該処理された操作情報を管理部のＣＰＵが受信し、その情報に基づいて不揮発性メモリに格納された操作実行プログラムを揮発性メモリのワーク領域に展開して、当該プログラムの制御情報等に応じた処理を実行する。以上によって本実施形態の録画装置が実現できる。
【００４７】
<実施形態３：効果>  本実施形態の録画装置、及び録画方法によれば、同時録画された前記デジタル放送コンテンツと、そのコンテンツのサイマル放送であるアナログ放送コンテンツとを一の表示マークで表示できる。これによって、ユーザは両コンテンツを見かけ上、あたかも一つのデータのように取り扱うことができるため、コンテンツの管理が楽になる。
【００４８】
<<実施形態４>>
<実施形態４：概要>  実施形態４は、録画装置、及び録画方法に関する。本実施形態にかかる録画装置、及び録画方法は、前記実施形態３の録画装置、及び録画方法を基本としている。図１３は、本実施形態の概念を示す図である。この図では本実施形態の録画装置が接続されたテレビのモニタ画面などをしている。図１３では、同時録画された二つのコンテンツが一の表示マーク（１３０１）で表示されている。本実施形態にかかる録画装置は、当該一の表示マークを選択し（黒太枠で示す）、その表示マークに対応するコンテンツのコピー操作を画面ボタン（１３０２）から入力した場合、デジタル放送コンテンツ（１３０３）とアナログ放送コンテンツ（１３０４）の二つのコンテンツのうちアナログ放送コンテンツに対してのみコピー処理（１３０５）を実行することを特徴とする。本実施形態によって、デジタル放送コンテンツがコピーワンスコンテンツであっても当該コピー処理によってそのまま録画装置に保持（１３０６）され、削除されることがないため、コピーワンスコンテンツの擬似ダビングが達成できる。
【００４９】
<実施形態４：構成>  図１４は、本実施形態にかかる録画装置の機能ブロック図である。この図で示す本実施形態にかかる録画装置（１４００）は、前記実施形態３の録画装置の構成を基本としている。すなわち、デジタル放送受信部（１４０１）、アナログ放送受信部（１４０２）、録画命令受付部（１４０３）、録画部（１４０４）、制御部（１４０５）、コンテンツ操作入力用ＧＵＩ部（１４０８）、管理部（１４０９）で構成され、制御部はさらに判断手段（１４０６）と付加時制御手段（１４０７）をしている。これらの構成要件に関する説明は、実施形態１乃至３と同様であることから省略する。本実施形態の構成で特徴的な構成は、管理部（１４０９）がさらにコンテンツコピー手段（１４１０）を有することである。以下、コンテンツコピー手段（１４１０）の構成、及び機能等について説明をする。
【００５０】
「コンテンツコピー手段」（１４１０）は、前記コンテンツ操作入力用ＧＵＩ部にて、表示マークを利用したコピー操作の入力を受付けた場合には、前記録画部にて保持されているコンテンツファイルを記録メディアにコピー処理するダビング手段としての機能を有するように構成されている。それに加えて当該コンテンツコピー手段は、前記コンテンツ操作入力用ＧＵＩ部にて、一の表示マークで表示される同時録画された二つのコンテンツファイルに対してコピー操作の入力を受付けた場合には、アナログ放送コンテンツファイルのみを選択し、コピー処理を実行する。このとき、コンテンツコピー手段はデジタル放送コンテンツに対してはコピー操作は行わない。前述のように、コピーワンスコンテンツは１世代のみコピーが許可されているが、その際に移動元にあった元のコンテンツは削除されてしまう。つまり、コピーワンスコンテンツに対するコピー操作は移動操作となるため、移動元の録画装置に当該コンテンツファイルを残すことはできないからである。しかし、本実施形態によれば、デジタル放送コンテンツがコピーワンスコンテンツであってもオリジナルのデジタル放送コンテンツファイルは録画部から失われることなく、そのまま保持される。本実施形態でコピーされるコンテンツはアナログ放送コンテンツであってデジタル放送コンテンツではない。しかし、サイマル放送であるため、その内容はデジタル放送コンテンツと同一である。また、アナログ放送コンテンツに対しては、複製に関してコピーワンスのような規制はなく、著作権法の範囲内において自由に複製できる。このように本実施形態によれば、著作権の保護を確保しつつ、デジタル放送コンテンツを擬似コピーできる。もっとも、アナログ放送コンテンツはＳＤ画質であることから本実施形態ではコピーワンスコンテンツがＨＤ画質の場合にはＨＤ画質としてコピーすることはできない。しかし、現在流通しているＤＶＤ−Ｒ／ＲＷ、ＤＶＤ−ＲＡＭ等は、ＣＰＲＭ対応であってもＳＤ画質としてしか記録できないことを考えると、ＨＤ画質としてコピーすることはできないことは大きな問題とはならない。むしろ、ユーザの利便性を考慮した場合、ＨＤ画質のコンテンツを安全に保持しつつ、当該コンテンツを気軽にコピーできる効果は大きい。
【００５１】
コンテンツコピー手段は、構成要素として不揮発性の記録メディアドライブを有する。当該記録メディアドライブの具体例としては、ＨＤＤ、ＨＤ−ＤＶＤドライブ、ＤＶＤ±ＲＷドライブ、ＤＶＤ−ＲＡＭドライブ、ブルーレイドライブ等の光ディスクメディアにコンテンツを複製可能な機器や、ＭＯドライブなどの光磁気ディスクにコンテンツを複製可能な機器が挙げられるほか、有線又は無線にて外部記録媒体に複製可能な機器が含まれる。例えば、Ｄ端子やＨＤＭＩ端子、ＤＶＩ端子で接続された他の記録再生装置や、ＵＳＢ接続された外付けＨＤＤ、半導体メモリ、赤外線通信、ブルートゥース通信機能にて外部へコンテンツを移転可能な機器等が一例として該当する。なお、記録メディアが取り外し可能なディスクにて構成される場合、少なくともコピー処理時には当該ディスクを挿入した状態にしておく。
【００５２】
<実施形態４：ハードウェア構成>  実施形態４におけるハードウェア構成は、図６で示した実施形態１のハードウェア構成とその基本構成は変わらない。したがって、実施形態１と同様の構成についての説明は省略する。また、本実施形態に特徴的な構成要件であるコンテンツコピー手段の具体的なハードウェア構成については、図６のＣＰＵ（０６０１）、揮発性メモリ（０６０２）、不揮発性メモリ（０６０３）などが該当する。コンテンツコピー手段では、ＣＰＵ（０６０１）が前記コンテンツ操作入力用ＧＵＩ部よりコピー操作命令の信号を受信し、不揮発性メモリに格納されたコンテンツコピー用プログラムを揮発性メモリのワーク領域に展開する。ＣＰＵは、コピー操作命令信号と当該プログラムに従って、コピーを指定された目的のコンテンツファイルを録画部の録画用不揮発性メモリから呼び出し、複製処理を実行する。このとき、ＣＰＵはコピーを指定されたコンテンツファイルがデジタル放送コンテンツファイルとアナログ放送コンテンツファイルとが関連しているとの信号を受信した場合には、録画部の録画用不揮発性メモリよりアナログ放送コンテンツファイルのみ呼び出し複製処理を実行する。以上によって本実施形態の録画装置が実現できる。
【００５３】
<実施形態４：処理の流れ>  図１５を用いて本実施形態にかかる録画方法の一例について説明をする。図１５は、本実施形態の録画方法のフローチャートを示している。まず、録画装置が表示マークを介してコピー操作の入力を受付ける（Ｓ１５０１  コピー操作入力受付ステップ）。次に、コピー操作の入力を受付けた一の表示マークが、同時録画された二つのコンテンツファイルを有する表示マークであるかを判断する（Ｓ１５０２  表示マーク判断ステップ）。最後に、表示マーク判断ステップ（Ｓ１５０２）での判断結果が二つのコンテンツを表示する表示マークであるとの判断結果の場合に、アナログ放送コンテンツに対してのみコピー処理を実行する（Ｓ１５０３  アナログ放送コンテンツコピーステップ）。以上の処理の流れによって本実施形態の録画方法を達成できる。
【００５４】
<実施形態４：効果>  本実施形態の録画装置、及び録画方法によれば、コピー操作により前記アナログ放送コンテンツに対してのみコピー処理を行うことで、同時録画されたアナログ放送コンテンツのサイマル放送であるデジタル放送コンテンツを削除することなく残すことができる。これによって、デジタル放送コンテンツの擬似ダビングが可能となる。また、コピー処理はアナログ放送コンテンツに対して行われるため、ＣＰＲＭ対応以外の記録メディアも利用できる。
【００５５】
<<実施形態５>>
<実施形態５：概要>  本実施形態にかかる録画装置、及び録画方法は、実施形態３又は４の録画装置、及び録画方法を基本としながら、一の表示マークを利用して特定したコンテンツに対する編集操作の入力を受付けた場合には、同時録画された二つのコンテンツの両者に対して同じ編集処理を実行することを特徴とする。
【００５６】
<実施形態５：構成>  図１６は、本実施形態にかかる録画装置の機能ブロック図である。この図で示す本実施形態にかかる録画装置（１６００）は、前記実施形態３の録画装置の構成を基本としている。すなわち、デジタル放送受信部（１６０１）、アナログ放送受信部（１６０２）、録画命令受付部（１６０３）、録画部（１６０４）、制御部（１６０５）、コンテンツ操作入力用ＧＵＩ部（１６０８）、管理部（１６０９）で構成され、制御部はさらに判断手段（１６０６）と付加時制御手段（１６０９）をしている。これらの構成要件に関する説明は、実施形態１乃至３と同様であることから省略する。本実施形態の構成で特徴的な構成は、管理部（１６０９）がさらにコンテンツ編集手段（１６１０）を有することである。以下、コンテンツ編集手段（１６１０）の構成、及び機能等について説明をする。
【００５７】
「コンテンツ編集手段」（１６１０）は、前記コンテンツ操作入力用ＧＵＩ部にて、表示マークを利用した編集操作の入力を受付けた場合には、前記録画部にて保持されているコンテンツファイルを編集処理する編集手段としての機能を有するように構成されている。それに加えて、コンテンツ操作入力用ＧＵＩ部にて一の表示マークを利用して特定したコンテンツに対する編集操作の入力を受付けた場合には、同時録画された二つのコンテンツの両者に対して同じ編集処理を実行するように構成されている。「一の表示マークを利用して特定したコンテンツ」とは、表示マークを選択することで指定したコンテンツファイルをいう。当該特定されたコンテンツファイルは、録画部に保持された状態から編集操作に対してアクティブな状態となる。コンテンツ編集手段は、特定したコンテンツファイルが一の表示マークで表される同時録画したコンテンツファイルである場合、入力された編集操作を両者に対して同調的に行うことができる。両コンテンツで編集を同調的に行うためには、両コンテンツの共通尺度を利用すればよい。例えば、起点や終点からの時間位置が挙げられる。具体的には、起点である録画開始時間からの経過時間を両コンテンツで合せて編集するようにすればよい。より具体的な例として、図１７を用いて録画した二つのコンテンツからコマーシャル部分（１７０１）を同調して除く場合を挙げて説明する。コマーシャル部分を削除する場合には、通常、コマーシャル開始時点Ａと終了時点Ｂを設定した後、削除を指示する。このとき、コンテンツ編集手段は設定されたコマーシャル開始時点Ａと終了時点Ｂに基づいて、コンテンツの録画開始時間（ＳＴＡＲＴ）からの経過時間を算出する。ここで、それぞれの経過時間が１５分後と１８分後であった場合、両コンテンツの開始時間を起点に１５分後から１８分後に該当する部分を除去することで、両コンテンツに対して同調的な編集ができる。
【００５８】
<実施形態５：ハードウェア構成>  実施形態５におけるハードウェア構成は、図６で示した実施形態１のハードウェア構成とその基本構成は変わらない。また、本実施形態に特徴的な構成要件であるコンテンツ編集手段のハードウェア構成は、例えば、ＣＰＵ（０６０１）が前記コンテンツ操作入力用ＧＵＩ部より編集操作命令の信号を受信し、不揮発性メモリに格納されたコンテンツ編集用プログラムを揮発性メモリのワーク領域に展開する。ＣＰＵは、編集操作命令信号と当該プログラムに従って、編集を指定された目的のコンテンツファイルを録画部の録画用不揮発性メモリから呼び出し、編集処理を実行する。このとき、ＣＰＵは編集を指定されたコンテンツファイルが他のコンテンツファイルと関連付けられているとの信号を受信した場合には、両コンテンツファイルから共通尺度となる信号を抽出する。例えば、両コンテンツファイルで共通する録画開始時間情報を起点として編集操作命令中の編集箇所の開始点の時間位置を算出する。算出された時間位置に基づいて同時録画された二つのコンテンツファイルに対して同調的に編集処理を実行する。以上によって本実施形態の録画装置が実現できる。
【００５９】
<実施形態５：処理の流れ>  図１８を用いて本実施形態にかかる録画方法の一例について説明をする。図１８は、本実施形態の録画方法のフローチャートを示している。まず、録画装置が表示マークを介して編集操作の入力を受付ける（Ｓ１８０１  編集操作入力受付ステップ）。次に、編集操作の入力を受付けた一の表示マークが、同時録画された二つのコンテンツファイルを有する表示マークであるかを判断する（Ｓ１８０２  第二表示マーク判断ステップ）。第二表示マーク判断ステップ（Ｓ１８０２）での判断結果が二つのコンテンツを表示する表示マークではないとの判断結果の場合（Ｓ１８０２  Ｎｏ）、そのコンテンツに対して通常の編集処理を実行する（Ｓ１８０４  通常コンテンツ編集ステップ）。また、第二表示マーク判断ステップ（Ｓ１８０２）での判断結果が二つのコンテンツを表示する表示マークであるとの判断結果の場合（Ｓ１８０２  Ｙｅｓ）、同時録画された二つのコンテンツの両者に対して同じ編集処理を実行する（Ｓ１８０３  両コンテンツ編集ステップ）。以上の処理の流れによって本実施形態の録画方法を達成できる。
【００６０】
<実施形態５：効果>  本実施形態の録画装置、及び録画方法によれば、一の編集操作によって同時録画された二つの放送コンテンツの両者に同じ編集処理を実行できる。
【００６１】
<<実施形態６>>
<実施形態６：概要>  実施形態６は、録画装置、及び録画方法に関する。本実施形態にかかる録画装置、及び録画方法は、前記実施形態３乃至５の録画装置、及び録画方法を基本としている。図１９は、本実施形態の概念を示す図である。この図では本実施形態の録画装置が接続されたテレビのモニタ画面などをしている。図１９では、同時録画された二つのコンテンツが一の表示マーク（１９０１）で表示されている。本実施形態にかかる録画装置は、当該一の表示マークを選択し（黒太枠で示す）、その表示マークに対応するコンテンツの削除操作を画面ボタン（１９０２）から入力した場合、デジタル放送コンテンツ（１９０３）とアナログ放送コンテンツ（１９０４）の両コンテンツに対して削除処理（１９０５）を実行することを特徴とする。
【００６２】
<実施形態６：構成>  図２０は、本実施形態にかかる録画装置の機能ブロック図である。この図で示す本実施形態に係る録画装置（２０００）は、前記実施形態３の録画装置の構成を基本としている。すなわち、デジタル放送受信部（２００１）、アナログ放送受信部（２００２）、録画命令受付部（２００３）、録画部（２００４）、制御部（２００５）、コンテンツ操作入力用ＧＵＩ部（２００８）、管理部（２００９）で構成され、制御部はさらに判断手段（２００６）と付加時制御手段（２００７）を有している。これらの構成要件に関する説明は、実施形態１乃至３と同様であることから省略する。本実施形態の構成で特徴的な点は、管理部（２００９）がさらにコンテンツ削除手段（２０１０）を有することである。以下、コンテンツ削除手段（２０１０）の構成、及び機能等について説明をする。
【００６３】
「コンテンツ削除手段」（２０１０）は、前記コンテンツ操作入力用ＧＵＩ部にて、表示マークを利用した削除操作の入力を受付けた場合には、前記録画部にて保持されているコンテンツファイルを削除処理する削除手段としての機能を有するように構成されている。それに加えて、コンテンツ操作入力用ＧＵＩ部にて一の表示マークを利用したコンテンツに対する削除操作の入力を受付けた場合には、同時録画された二つのコンテンツファイルの両者の削除処理を実行するように構成されている。すなわち、当該削除操作によって一の表示マークで表示される二つのコンテンツファイルは共に録画部から削除される。また、当該削除処理に伴い、表示マークも削除される。
【００６４】
<実施形態６：ハードウェア構成>  実施形態６におけるハードウェア構成は、図６で示した実施形態１のハードウェア構成とその基本構成は変わらない。また、本実施形態に特徴的な構成要件であるコンテンツ削除手段のハードウェア構成については、例えば、ＣＰＵ（０６０１）が前記コンテンツ操作入力用ＧＵＩ部より削除操作命令の信号を受信し、不揮発性メモリに格納されたコンテンツ削除用プログラムを揮発性メモリのワーク領域に展開する。ＣＰＵは、削除操作命令信号と当該プログラムに従って、削除を指定された目的のコンテンツファイルを録画部の録画用不揮発性メモリから呼び出し、削除処理を実行する。このとき、ＣＰＵは削除を指定されたコンテンツファイルが他のコンテンツファイルと関連付けられているとの信号を受信した場合には、両コンテンツファイル対して削除処理を実行する。以上によって本実施形態の録画装置が実現できる。
【００６５】
<実施形態６：処理の流れ>  図２１を用いて本実施形態にかかる録画方法の一例について説明をする。図２１は、本実施形態の録画方法のフローチャートを示している。まず、録画装置が表示マークを介して削除操作の入力を受付ける（Ｓ２１０１  削除操作入力受付ステップ）。次に、削除操作の入力を受付けた一の表示マークが、同時録画された二つのコンテンツファイルを有する表示マークであるかを判断する（Ｓ２１０２  第三表示マーク判断ステップ）。第三表示マーク判断ステップ（Ｓ２１０２）での判断結果が二つのコンテンツを表示する表示マークではないとの判断結果の場合（Ｓ２１０２  Ｎｏ）、そのコンテンツに対して通常の削除処理を実行する（Ｓ２１０４  通常コンテンツ削除ステップ）。また、第三表示マーク判断ステップ（Ｓ２１０２）での判断結果が二つのコンテンツを表示する表示マークであるとの判断結果の場合（Ｓ２１０２  Ｙｅｓ）、同時録画された二つのコンテンツの両者に対して削除処理を実行する（Ｓ２１０３  両コンテンツ削除ステップ）。以上の処理の流れによって本実施形態の録画方法を達成できる。
【００６６】
<実施形態６：効果>  本実施形態の録画装置、及び録画方法によれば、一の削除操作によって同時録画された二つの放送コンテンツの両者を共に削除できる。
【００６７】
<<実施形態７>>
<実施形態７：概要>  実施形態７は、録画装置、及び録画方法に関する。本実施形態にかかる録画装置、及び録画方法は、前記実施形態３乃至６の録画装置、及び録画方法を基本としている。図２２は、本実施形態の概念を示す図である。この図では本実施形態の録画装置が接続されたテレビのモニタ画面などをしている。図２２では、同時録画された二つのコンテンツが一の表示マーク（２２０１）で表示されている。本実施形態にかかる録画装置は、当該一の表示マークを選択し（黒太枠で示す）、その表示マークに対応するコンテンツの移動操作を画面ボタン（２２０２）から入力した場合、デジタル放送コンテンツ（２２０３）に対してのみ移動処理（２２０５）を実行し、アナログ放送コンテンツ（２２０４）に対しては削除処理（２２０６）を実行することを特徴とする。
【００６８】
<実施形態７：構成>  図２３は、本実施形態にかかる録画装置の機能ブロック図である。この図で示す本実施形態に係る録画装置（２３００）は、前記実施形態３の録画装置の構成を基本としている。すなわち、デジタル放送受信部（２３０１）、アナログ放送受信部（２３０２）、録画命令受付部（２３０３）、録画部（２３０４）、制御部（２３０５）、コンテンツ操作入力用ＧＵＩ部（２３０８）、管理部（２３０９）で構成され、制御部はさらに判断手段（２３０６）と付加時制御手段（２３０７）をしている。これらの構成要件に関する説明は、実施形態１乃至３と同様であることから省略する。本実施形態の構成で特徴的な点は、管理部（２３０９）がさらにコンテンツ移動手段（２３１０）を有することである。以下、コンテンツ移動手段（２３１０）の構成、及び機能等について説明をする。
【００６９】
「コンテンツ移動手段」（２３１０）は、前記コンテンツ操作入力用ＧＵＩ部にて一の表示マークを利用した移動操作の入力を受付けた場合には、同時録画された二つのコンテンツファイルのうちデジタル放送コンテンツファイルに対してのみ移動処理を実行し、アナログ放送コンテンツファイルに対しては削除処理を実行するように構成されている。当該コンテンツ移動手段で移動処理の対象となるデジタル放送コンテンツファイルはコピーワンスコンテンツファイルを指す。「背景技術」でも述べたように、移動「ムーブ」とはコピー回数が１回に制限されているデジタル放送コンテンツ、すなわちコピーワンスコンテンツに対する概念であるからである。したがって、コピー回数に制限のないデジタル放送コンテンツとそのサイマル放送であるアナログ放送コンテンツからなる二つのコンテンツファイルが一の表示マークで表示されている場合は、当該コンテンツ移動手段の対象コンテンツファイルとはならない。同時録画された二つのコンテンツファイルを表示する一の表示マークに対して移動操作を入力した場合、デジタル放送コンテンツファイルがコピーワンスコンテンツファイルかを判断するためのコピーワンスコンテンツ判断器を有していてもよい。当該判断器は、デジタル放送コンテンツファイル内の複製制御信号を読み取ることで、その判断ができる。なお、当該移動処理後は移動元の録画装置には両コンテンツとも残らないため、同時に当該両コンテンツを表示する位置の表示マークも削除する。
【００７０】
<実施形態７：ハードウェア構成>  実施形態７におけるハードウェア構成は、図２で示した実施形態１のハードウェア構成とその基本構成は変わらない。また、本実施形態に特徴的な構成要件であるコンテンツ移動手段のハードウェア構成については、例えば、ＣＰＵ（０６０１）が前記コンテンツ操作入力用ＧＵＩ部より移動操作命令の信号を受信し、不揮発性メモリに格納されたコンテンツ移動用プログラムを揮発性メモリのワーク領域に展開する。ＣＰＵは、移動操作命令信号と当該プログラムに従って、移動を指定された目的のコンテンツファイルがコピーワンスコンテンツファイルであるかを検索する。検索の結果、「コピーワンスコンテンツファイルである」の場合には、当該コンテンツファイルを録画部の録画用不揮発性メモリから呼び出し、移動処理を実行する。同時にそのコピーワンスコンテンツファイルと関連付けられているアナログ放送コンテンツファイルについても録画部の録画用不揮発性メモリから呼び出し、削除処理を実行する。以上によって本実施形態の録画装置が実現できる。
【００７１】
<実施形態７：処理の流れ>  図２４を用いて本実施形態にかかる録画方法の一例について説明をする。図２４は、本実施形態の録画方法のフローチャートを示している。まず、録画装置が表示マークを介して移動操作の入力を受付ける（Ｓ２４０１  移動操作入力受付ステップ）。次に、移動操作の入力を受付けた一の表示マークが、同時録画された二つのコンテンツファイルを有する表示マークであるかを判断する（Ｓ２４０２  第四表示マーク判断ステップ）。第四表示マーク判断ステップ（Ｓ２４０２）での判断結果が二つのコンテンツを表示する表示マークではないとの判断結果の場合（Ｓ２４０２  Ｎｏ）、そのコンテンツに対する処理は終了する。また、第四表示マーク判断ステップ（Ｓ２４０２）での判断結果が二つのコンテンツを表示する表示マークであるとの判断結果の場合（Ｓ２４０２  Ｙｅｓ）、デジタル放送コンテンツに対してのみ移動処理を実行する（Ｓ２４０３  デジタル放送コンテンツ移動処理ステップ）。続いて、アナログ放送コンテンツに対しては削除処理を実行する（Ｓ２４０４  アナログ放送コンテンツ削除処理ステップ）。以上の処理の流れによって本実施形態の録画方法を達成できる。なお、デジタル放送コンテンツ移動処理ステップ（Ｓ２４０３）とアナログ放送コンテンツ削除処理ステップ（Ｓ２４０４）の処理の順序は問わない。例えば、アナログ放送コンテンツ削除処理ステップ（Ｓ２４０４）をデジタル放送コンテンツ移動処理ステップ（Ｓ２４０３）に先立ち、行ってもよいし、当該二つのステップを同時に行っても構わない。
【００７２】
<実施形態７：効果>  本実施形態の録画装置、及び録画方法によれば、一の移動操作によってデジタル放送コンテンツのみが移動処理され、同時に当該デジタル放送コンテンツと同時録画したアナログ放送コンテンツは自動削除される。移動処理によって残されたアナログ放送コンテンツに対して別途削除処理を行う必要がなく便利である。
【図面の簡単な説明】
【００７３】
【図１】実施形態１にかかる録画装置の概念図
【図２】実施形態１にかかる録画装置の機能ブロック図
【図３】電子番組表に基づく録画命令の作成を説明する図
【図４】制御部におけるサイマル放送用の録画命令の作成を説明する図
【図５】制御部におけるサイマル放送用の録画命令を作成するための情報の抽出と照合の方法を説明する図
【図６】実施形態１にかかる録画装置のハードウェア構成図
【図７Ａ】実施形態１にかかる録画方法のフローチャート図（１）
【図７Ｂ】実施形態１にかかる録画方法のフローチャート図（２）
【図８】実施形態２にかかる録画装置の概念図
【図９】実施形態２にかかる録画装置の機能ブロック図
【図１０】実施形態２にかかる録画方法のフローチャート図
【図１１】実施形態３にかかる録画装置の概念図
【図１２】実施形態３にかかる録画装置の機能ブロック図
【図１３】実施形態４にかかる録画装置の概念図
【図１４】実施形態４にかかる録画装置の機能ブロック図
【図１５】実施形態４にかかる録画方法のフローチャート図
【図１６】実施形態５にかかる録画装置の機能ブロック図
【図１７】録画した二つのコンテンツからコマーシャル部分を同調して除く場合を説明する図
【図１８】実施形態５にかかる録画方法のフローチャート図
【図１９】実施形態６にかかる録画装置の概念図
【図２０】実施形態６にかかる録画装置の機能ブロック図
【図２１】実施形態６にかかる録画方法のフローチャート図
【図２２】実施形態７にかかる録画装置の概念図
【図２３】実施形態７にかかる録画装置の機能ブロック図
【図２４】実施形態７にかかる録画方法のフローチャート図
【符号の説明】
【００７４】
０１０１：録画装置
０１０２：一の録画命令
０１０３：デジタル放送コンテンツ
０１０４：アナログ放送コンテンツ
【図１】
2008054107.tif 000003
【図２】
2008054107.tif 000004
【図３】
2008054107.tif 000005
【図４】
2008054107.tif 000006
【図５】
2008054107.tif 000007
【図６】
2008054107.tif 000008
【図７Ａ】
2008054107.tif 000009
【図７Ｂ】
2008054107.tif 000010
【図８】
2008054107.tif 000011
【図９】
2008054107.tif 000012
【図１０】
2008054107.tif 000013
【図１１】
2008054107.tif 000014
【図１２】
2008054107.tif 000015
【図１３】
2008054107.tif 000016
【図１４】
2008054107.tif 000017
【図１５】
2008054107.tif 000018
【図１６】
2008054107.tif 000019
【図１７】
2008054107.tif 000020
【図１８】
2008054107.tif 000021
【図１９】
2008054107.tif 000022
【図２０】
2008054107.tif 000023
【図２１】
2008054107.tif 000024
【図２２】
2008054107.tif 000025
【図２３】
2008054107.tif 000026
【図２４】
2008054107.tif 000027